(57)【要約】      （修正有）【課題】カスタマイズ機能統合システムを提供する。【解決手段】サーバー１と、サーバー内に設けられた金融データベース１１及び開発モジュール１３及び設計モジュール１４及び収集整理モジュール１５とからなる。ユーザーは、設計モジュールを介しそのレイアウトブロック及び各機能ブロックを操作することで、ニーズに応じて順番の配列を行い複数の金融ページを生成することができる。また、収集整理モジュールで各金融ページを操作することで、収集・整理したものから金融書冊を生成することができる。以上により、カスタマイズ統合の目的を達成することができるとともに、使用が便利になり、且つサーチ・閲覧が素早く明確に行えるようになるという実用進歩性を備える。【選択図】図１
0003210314.tif 000002
【実用新案登録請求の範囲】
【請求項１】
サーバーと、金融情報が保存されるとともに前記サーバー内に設けられた金融データベースと、前記サーバー内に設けられた開発モジュールと、前記サーバー内に設けられた設計モジュールと、前記サーバー内に設けられた収集整理モジュールとからなるカスタマイズ機能統合システムであって、
前記開発モジュールは、少なくとも一つのレイアウトブロック、及び、各前記金融情報にデータリンクされた複数の機能ブロックを備え、
前記設計モジュールは、前記レイアウトブロック及び各前記機能ブロックを取得するともにユーザーに操作されて複数の金融ページを生成し、
前記収集整理モジュールは、各前記金融ページを取得するとともに、前記ユーザーに操作されて金融書冊を生成し、それにより、カスタマイズ統合の目的を達成することができる
ことを特徴とするカスタマイズ機能統合システム。
【請求項２】
請求項１に記載のカスタマイズ機能統合システムにおいて、
前記サーバーは、電子装置内に設けられた少なくとも一つの金融ソフトにデータリンクされるとともに、前記ユーザーに操作される
ことを特徴とするカスタマイズ機能統合システム。
【請求項３】
請求項１に記載のカスタマイズ機能統合システムにおいて、
前記サーバー内には、前記ユーザーの情報に対応する少なくとも一つのＩＤモジュールが設けられる
ことを特徴とするカスタマイズ機能統合システム。
【請求項４】
請求項１に記載のカスタマイズ機能統合システムにおいて、
前記サーバー内には、少なくとも一つの表示モジュール及び少なくとも一つの購入モジュールが設けられ、
前記表示モジュールは、前記金融書冊を表示し、
前記購入モジュールは、他のユーザーに前記金融書冊を獲得させる
ことを特徴とするカスタマイズ機能統合システム。
【請求項５】
請求項１に記載のカスタマイズ機能統合システムにおいて、
前記サーバー内には、プログラムモジュールが設けられ、
前記プログラムモジュールは、前記開発モジュールの前記レイアウトブロック、或は、各前記機能ブロックをプログラムする
ことを特徴とするカスタマイズ機能統合システム。
【考案の詳細な説明】
【技術分野】
【０００１】
本考案は、カスタマイズ機能統合システムに関し、特に、自由で便利に使用でき、且つ、サーチや閲覧が素早く明確に行うことが可能なカスタマイズ機能統合システムに関する。
【背景技術】
【０００２】
多くの投資家は、株等の金融商品に資金投入の選択をする際に、投資ミス等の事態を避けるために、自分なりの分析・理論によって投資タイミングを考える。
タイミングを考えるためには、各種様々なデータを参考にしなければ正確な判断ができない。
そのため、市場には、従来から各種の金融装置が存在しているが、従来の金融装置の構成要素の位置及び機能などはいずれも固定されていて変更することができない。
しかしながら、投資家ごとに習慣が異なるだけでなく参考にするデータも異なるため、従来の金融装置では、投資家が必要なデータを直接提供することはできず、自分で、切り替えやサーチを繰りかえさないと必要なデータを得ることができない。
しかも、各種データをそれぞれ取得した後、それを同時に表示して比較分析することができないばかりか、場合によっては、必要なデータを備えてないこともあり、投資家が使用する際に問題が生じ、面倒でもある。
【考案の概要】
【考案が解決しようとする課題】
【０００３】
そこで、本考案は、ユーザーが自分で修正及び収集・整理して書冊にすることができ、使用が便利且つ閲覧・サーチが素早く明確にできるようになるカスタマイズ機能統合システムを提供することを目的とする。
【課題を解決するための手段】
【０００４】
上述の目的を達成するために、本考案は、サーバーを含み、金融情報を保存する金融データベースと開発モジュールとがサーバー内に設けられる。
また、開発モジュールは、少なくとも一つのレイアウトブロックと、各金融情報にデータリンクされる複数の機能ブロックとからなる。
また、サーバー内には、設計モジュール及び収集整理モジュールがさらに設けられ、設計モジュール及び収集整理モジュールは、ユーザーに操作される。
本考案を使用する際は、まず、金融データベースに複数の金融情報を保存するともに、開発モジュールに少なくとも一つのレイアウトブロックと、各金融情報にデータリンクされた複数の機能ブロックを保存し、その後、ユーザーが設計モジュールを操作することで、ニーズに応じて、各機能ブロックの選択、移動、或は、調整を行うことができ、さらには、レイアウトブロック上の必要な位置に配置することで金融ページを生成することができる。
そして、ユーザーは、収集整理モジュールを操作することで、必要な複数の金融ページを選択し、さらに順番に並べて収集・整理することで金融書冊を生成することができる。
【考案の効果】
【０００５】
以上により、必要な部分だけを選択的に残すことができ、且つ自由に移動・調整することで、比較をより明確に行うことができるとともに、収集・整理することで金融書冊を生成して、情報をより完全にすることができる。
従って、従来の金融装置に存在した構成要素の位置及び構成要素の機能等が固定されて変更できないことで、使用上の問題及び面倒が生じる欠点を克服し、使用が自由で便利になるとともに、サーチ・閲覧が素早く明確に行えると言う実用進歩性を備えている。
【図面の簡単な説明】
【０００６】
【図１】本考案の構造を示すブロック図である。
【図２】本考案の手順を示す概略図である。
【図３】本考案の選択を示す概略図である。
【図４】本考案の生成を示す概略図である。
【図５】本考案の選択と順番の配列を示す概略図である。
【図６】本考案の収集・整理を示す概略図である。
【図７】本考案の使用を示す概略図である。
【図８】本考案の連結を示す概略図である。
【図９】本考案の獲得を示す概略図である。
【考案を実施するための形態】
【０００７】
（実施例１）
図１を参照する。
本考案は、サーバー１と、金融データベース１１と、プログラムモジュール１２と、開発モジュール１３と、設計モジュール１４と、収集整理モジュール１５と、少なくとも一つのＩＤモジュール１６と、少なくとも一つの表示モジュール１７と、少なくとも一つの購入モジュール１８と、少なくとも一つの電子装置２と、少なくとも一つの金融ソフト２１とからなる。
金融データベース１１は、サーバー１内に設けられるとともに、複数の金融情報が保存される。
開発モジュール１３はサーバー１内に設けられるとともに金融データベース１１のとなりに位置し、開発モジュール１３は、少なくとも一つのレイアウトブロックＡ（図には表示せず）、及び、各金融情報データリンクされた複数の機能ブロックＢ（図には表示せず）を備える。
その内、レイアウトブロックＡ及び各機能ブロックＢは、アンドロイドシステム（Ａｎｄｒｏｉｄ）、或は、アップルのシステム（ｉＰｈｏｎｅ（登録商標）ＯＳ、ｉＯＳ）、或は、マイクロソフトのシステム（ＭｉｃｒｏｓｏｆｔＷｉｎｄｏｗｓ）の内の一つに対応し、また、レイアウトブロックＡは、金融文字、金融図、金融図形、金融図表、金融報告書、金融メニューの内の一つを含む。
【０００８】
また、プログラムモジュール１２は、サーバー１内に設けられ、開発モジュール１３のとなりに位置するとともに、開発モジュールにデータリンクされる。
また、プログラムモジュール１２は、レイアウトブロックＡ、或は、各機能ブロックＢをプログラム（生成）し、及びそれを開発モジュール１３内に保存する。
【０００９】
ＩＤモジュール１６は、サーバー１内に設けられるとともに、少なくとも一つのユーザー情報に対応する。
また、設計モジュール１４は、サーバー１内に設けられるとともに、開発モジュール１３のとなりに設けられ、さらには、ユーザーが操作できるよう、ＩＤモジュール１６及び開発モジュール１３とデータリンクされる。
また、収集整理モジュール１５は、サーバー１内に設けられるとともに設計モジュール１４のとなりに位置し、ユーザーが操作できるよう、ＩＤモジュール１６とデータリンクされる。
【００１０】
また、表示モジュール１７は、サーバー１内に設けられるとともに、収集整理モジュール１５のとなりに配置され、さらに、ＩＤモジュール１６とデータをリンクされる。
購入モジュール１８はサーバー１内に設けられるとともに、表示モジュール１７のとなりに配置され、さらに、表示モジュール１７及びＩＤモジュール１６とデータをリンクされる。
【００１１】
また、電子装置２は、携帯電話、タブレットＰＣ、パソコンの内の一つである。
金融ソフト２１は、ユーザーが操作できるよう電子装置２内に設けられ、さらには、サーバー１及びそのＩＤモジュール１６とデータリンクされる。
【００１２】
図１〜図９に示すように、本考案の主な手順は、（Ａ）保存（Ｂ）生成（Ｃ）収集・整理である。
【００１３】
本考案を使用する際は、まず、手順（Ａ）を行い、次に、手順（Ｂ）を行い、最後に、手順（Ｃ）を行う。
手順（Ａ）は以下の通りである：
金融データベース１１に複数の金融情報（例えば、会社損益、価格の高低、或は、取引量等）を保存し、まず、プログラマー等がプログラムモジュール１２を操作することで、レイアウトブロックＡ及び各機能ブロックＢ（例えば、会社損益、価格の高低、取引量、曲線図、或は、相場表等）を生成させる。手順（Ｂ）は以下の通りである：
ユーザーが、まず電子装置２を操作し、金融ソフト２１によってサーバー１及びそのＩＤモジュール１６とデータをリンクさせる。
そして、設計モジュール１４を連結させて操作することにより、必要なレイアウトブロックＡ及び各機能ブロックＢを選択し、各機能ブロックＢを好みに応じてレイアウトブロックＡ上に配置、或は、調整する。
続けて設計モジュール１４を作動させることで、前述した各機能ブロックＢ及びレイアウトブロックＡの位置に符号する金融ページＣが生成され、さらに金融ページＣがＩＤモジュール１６内に保存される。
手順（Ｃ）は以下の通りである：
ユーザーが収集整理モジュール１５を操作することで、ＩＤモジュール１６から各金融ページＣを選択的に取得し、且つ、順番に並べることで、収集整理モジュール１５が金融書冊Ｄを生成し、金融書冊ＤがＩＤモジュール１６内に保存され、後に使用することができ、さらに、ユーザーは異なる電子装置２を連結させて操作することもできる。
【００１４】
ユーザーは、必要な機能に応じて、特定の機能ブロックＢ（例えば、会社損益、価格の高低、取引量、曲線図、相場表等）を選択するとともに、選択した機能ブロックＢをレイアウトブロックＡ上に配置し、ユーザーの好みに合わせてその配置する位置や大きさ等を調整し、さらに、配置及び調整の結果（機能ブロックＢ及び各レイアウトブロックＡ）を別途保存して金融ページＣを生成する。
最後に、必要な各金融ページＣを選択し、好みに応じて順番に並べ、並べた結果（各金融ページＣ）を別途保存して、金融書冊Ｄを生成することで、ユーザーが後に使用する際により簡潔で使いやすくなる。
以上により、ユーザーが自由に変えてカスタマイズする目的、及び、収集・整理して金融書冊Ｄを生成することで各機能を統合する目的を達成することができるため、使用がかなり自由で便利になるだけでなく、サーチ・閲覧も素早く明確にできるようになる。
【００１５】
そして、ユーザーがその後に使用する際、自由に選んだ別の電子装置２を介すことで、金融書冊Ｄを直接操作及び閲覧することができる。
金融書冊Ｄは、ユーザーが自分で選択、配置、順序の並び替えを行えるため、ユーザーが必要と思う部分だけを残すことができ、さらに、状況に応じて、別の金融書冊Ｄに取り換えることができる。
【００１６】
また、ユーザーは、収集・整理して生成した金融書冊Ｄを、そのＩＤモジュール１６から表示モジュール１７にアップロードすることで表示させることができ、それにより、その他のユーザー（購入者）に購入させることができる。
また、購入するユーザー（購入者）は、そのＩＤモジュール１６、表示モジュール１７を介して、購入モジュール１８に連結することができ、それにより、目的とする金融書冊Ｄを購入及び獲得することができる。
以上により、ユーザー（購入者）は、その後、電子装置２及び金融ソフト２１を介してその金融書冊Ｄを操作・使用することができる。
【符号の説明】
【００１７】
１  サーバー
１１  金融データベース
１２  プログラムモジュール
１３  開発モジュール
１４  設計モジュール
１５  収集整理モジュール
１６  ＩＤモジュール
１７  表示モジュール
１８  購入モジュール
２  電子装置
２１  金融ソフト
Ａ  レイアウトブロック
Ｂ  機能ブロック
Ｃ  金融ページ
Ｄ  金融書冊
【図１】
0003210314.tif 000003
【図２】
0003210314.tif 000004
【図３】
0003210314.tif 000005
【図４】
0003210314.tif 000006
【図５】
0003210314.tif 000007
【図６】
0003210314.tif 000008
【図７】
0003210314.tif 000009
【図８】
0003210314.tif 000010
【図９】
0003210314.tif 000011